(57)【特許請求の範囲】
【請求項１】
芯材が発泡樹脂であり表面に樹脂やモルタル等で被覆が形成された建築用装飾材を建造物に取り付けた構造であって、
建築用装飾材は背面側の上縁部と下縁部に取り付け補助材を芯材に形成した埋め込み溝内に一部を挿入し一部を露出した状態で一体に固定したものであり、前記取り付け補助材に固定可能な取り付け治具が建造物に固定具を用いて固定されており、前記建築用装飾材は、前記取り付け補助材の前記露出した部分が前記取り付け治具に固定されることにより建造物に固定されていることを特徴とする建造物への建築用装飾材の取り付け構造。
【請求項２】
前記建築用装飾材は背面側に段差部を有しており、前記取り付け補助材はその一部を前記段差部に露出した状態で位置しており、前記取り付け治具は前記取り付け補助材の前記露出した部分に重畳した状態で前記取り付け補助材に対して固定されていることを特徴とする請求項１に記載の建造物への建築用装飾材の取り付け構造。
【請求項３】
前記取り付け補助材が前記取り付け治具に固定されている領域にはコーキング材が外側から充填されていることを特徴とする請求項１または２に記載の建築用装飾材の取り付け構造。
【発明の詳細な説明】
【技術分野】
【０００１】
本発明は、建造物への建築用装飾材の取り付け構造に関し、特に、軽量かつ任意の外観意匠を持つものとして容易に作り出すことのできる、芯材が発泡樹脂であり表面に樹脂やモルタル等で被覆が形成された建築用装飾材を建造物へ取り付ける構造に関する。
【背景技術】
【０００２】
各種建造物の屋内外に、構造材としてではなくもっぱら装飾の目的で、芯材が発泡樹脂であり表面に樹脂やモルタル等で被覆が形成された建築用装飾材を取り付けることが行われる（特許文献１、特許文献２等参照）。この形態の建築用装飾材は軽量であり、建造物側への固定は、通常、特許文献１に記載のように接着剤を用いて行うか、特許文献２に記載のように接着剤と共に釘やビスのような固定具を用いて行っている。
【０００３】
【特許文献１】実用新案登録第３１１１７８０号公報
【特許文献２】特開２００２−３７１７０４号公報
【発明の開示】
【発明が解決しようとする課題】
【０００４】
芯材として発泡樹脂を用いた建築用装飾材は軽量材であり、比較的小型のものであれば、接着剤のみにより建造物の壁面等に安定して固定するができる。しかし、大きくある程度の重さを持つものになると、接着剤のみでは不安定であり、接着剤と共に釘やビス等の固定具を用いて建造物側に固定することが行われるが、その場合には、表面意匠性を損なわないように、打ち込んだ固定具の頭部等を何らかの手段で外から見えなくするための作業が必要となる。また、いずれの場合も、建造物側の取り付け面である下地に不陸がある場合、それに十分に対応することができず、接着不良が生じやすい。
【０００５】
本発明は、上記のような事情に鑑みてなされたものであり、大きくある程度の重さを持つ建築用装飾材であっても、安定した状態で建造物に固定することのできる建築用装飾材の取り付け構造を開示することを課題とする。
【課題を解決するための手段】
【０００６】
上記の課題を解決するための本発明の取り付け構造は、芯材が発泡樹脂であり表面に樹脂やモルタル等で被覆が形成された建築用装飾材を建造物に取り付けた構造であって、建築用装飾材は背面側の上縁部と下縁部に取り付け補助材を芯材に形成した埋め込み溝内に一部を挿入し一部を露出した状態で一体に固定したものであり、前記取り付け補助材に固定可能な取り付け治具が建造物に固定具を用いて固定されており、前記建築用装飾材は、前記取り付け補助材の前記露出した部分が前記取り付け治具に固定されることにより建造物に固定されていることを特徴とする。
【０００７】
本発明による建造物への建築用装飾材の取り付け構造のより具体的な態様では、建築用装飾材は背面側に段差部を有しており、前記取り付け補助材はその一部を前記段差部に露出した状態で位置しており、前記取り付け治具は前記取り付け補助材の前記露出した部分に重畳した状態で前記取り付け補助材に対して固定されている。この態様において、前記段差部は、建築用装飾材の背面側における上縁と下縁の全幅方向にそれぞれ形成されていることが望ましいが、部分的に形成されていてもよい。
【０００８】
本発明による建造物への建築用装飾材の取り付け構造は、建築用装飾材の背面側に固定された取り付け補助材と、建造物側に固定した取り付け治具とが、ビス止め等により一体に連結固定された構造であり、両者の固定箇所と個数を適宜選択することにより、極めて安定した固定構造が得られる。そのために、大きくかつ重さのある場合でも、建築用装飾材に釘等を打ち込んで建造物側に固定することを要しないので、建築用装飾材の表面意匠性が損なわれることはない。また、接着剤による固定を必要としないので、建造物側の取り付け面に不陸が生じていても、それによって取り付け状態が影響を受けることはない。
【０００９】
本発明による建造物への建築用装飾材の取り付け構造において、前記取り付け補助材および取り付け治具は、所要の機械的強度を持つこと、互いにビス止めが可能なこと、を条件に任意の材料で作ることができる。例えば、樹脂材料、繊維強化した樹脂材料、金属材料などが挙げられる。樹脂材料としては、塩化ビニル樹脂、アクリル樹脂などが好適であり、金属材料としては、腐食に強いことから、アルミニウム材、ステンレス材などが好適である。
【００１０】
建築用装飾材の背面側に取り付け補助材を固定する態様としては、芯材に埋め込み溝を予め形成しておき、その埋め込み溝内に取り付け補助材を一部が露出した状態で挿入して建築用装飾材と一体化する態様、あるいは平板状の取り付け補助材を接着剤により芯材の所要位置に固定一体化する態様等が挙げられる。前者の態様では、取り付け補助材として断面形状が、Ｌ字型、Ｃ字型、鈎型等のものが好適に用いられる。
【００１１】
前記取り付け補助材および取り付け冶具の長さは、建築用装飾材の全幅とほぼ同じであることが高い取り付け安定性が得られることから好ましいが、所要の取り付け安定性が得られる場合には、長さの短いものを複数個用いて固定するようにしてもよい。
【００１２】
前記取り付け治具は、少なくとも、建造物に固定される第１の面と、建築用装飾材に固定した取り付け補助材に固定される前記第１の面に連続する第２の面を持つ。第１の面は平坦面であり、第２の面は建築用装飾材に固定した取り付け補助材の形状に重畳できる形状の面であることが好ましい。
【００１３】
また、本発明による建造物への建築用装飾材の取り付け構造において、前記取り付け補助材が前記取り付け治具にビス止め等により固定されている領域にはコーキング材が外側から充填されていることは好ましい。それにより、ビスの頭が外から見えるのを隠すことができると共に、建築用装飾材の背面と建造物壁面との間に雨水が浸入するのを阻止することができる。
【発明の効果】
【００１４】
本発明によれば、大きくある程度の重さを持つ建築用装飾材であっても、安定した状態で建造物に固定することができる。
【発明を実施するための最良の形態】
【００１５】
以下、図面を参照しながら、本発明を実施の形態に基づき説明する。図１は、本発明による建造物への建築用装飾材の取り付け構造の一形態をその施工手順と共に説明する断面図である。
【００１６】
図１（ａ）に示すように、この例において、建築用装飾材１０は、例えばポリスチレン系の発泡樹脂である芯材１１と、その表面側を被覆する樹脂やモルタル等である被膜１２からなる。芯材１１の背面１３側における上縁と下縁には、全幅方向にわたる段差部１４、１４が形成されており、該段差部は前記被膜１２により被覆されてはいない。段差部１４、１４の水平面に繋がるようにして、芯材１１の内部には、全幅方向にわたるＬ字状の切り込み溝１５、１５が形成されている。前記段差部１４と切り込み溝１５は芯材の発泡成形時に同時成形してもよく、発泡成形後に後加工してもよい。
【００１７】
前記切り込み溝１５には、ステンレス鋼板等からなり断面Ｌ字状である取り付け補助材２０が挿入される。取り付け補助材２０の長さは芯材１１の横幅とほぼ等しい。また、取り付け補助材２０の垂直辺２１の高さは切り込み溝１５の垂直部の長さにほぼ等しく、水平辺２２の横幅は切り込み溝１５の水平部を越えて芯材１１の背面１３に達する横幅である。従って、取り付け補助材２０を芯材１１に形成した切り込み溝１５に挿入すると、図１（ｂ）に示すように、取り付け補助材２０は建築用装飾材１０（の芯材１１）の背面１３側に固定された姿勢となる。そして、その状態で、固定した取り付け補助材２０の一部、すなわちその水平辺２２の一部は、前記段差部１４、１４の個所において、外部に露出した状態となる。なお、挿入にあたって、所要個所に接着剤を塗布しておき、接着剤を用いて取り付け補助材２０を芯材１１に固定するようにしてもよい。
【００１８】
上記建築用装飾材１０を取り付けようとする建造物４０側には、ステンレス鋼板等からなる取り付け治具３０を固定する。この例において、取り付け冶具３０の長さは芯材１１の横幅とほぼ等しく、建造物４０に固定される第１の面３１と、前記建築用装飾材１０に固定した取り付け補助材２０の前記露出した水平辺２２に対して固定される第２の面３２を持つ。第１の面３１と第２の面３２は連続しており、全体として断面Ｌ字状である。第１の面３１は平坦面であり、第２の面３２は前記した取り付け補助材２０の露出した水平辺２２に重畳できる形状、すなわちこの例では平坦面である。
【００１９】
前記した建築用装飾材１０を建造物４０に取り付ける手順を説明する。最初に、図１（ｂ）に示すように、建造物４０の壁面等に２つの前記取り付け治具３０を、取り付けようとする建築用装飾材１０の背面１３側に固定した上下の取り付け補助材２０、２０を上下から挟持できる間隔をおいて、平行に固定する。固定に際しては、前記第１の面３１の部分にビス等の固定具３３を打ち込むようにする。それにより、取り付け治具３０の前記第２の面３２が建造物４０の壁面から垂直方向に突出した状態となる。
【００２０】
その状態で、建築用装飾材１０の背面１３側を建造物４０の壁面に対向させ、その背面１３側に固定した上下の取り付け補助材２０、２０が、壁面に固定してある上下の取り付け治具３０、３０の間に入り込むようにして、建築用装飾材１０を建造物３０の壁面に向けて動かす。取り付け補助材２０の前記外部に露出した水平部２２と、建造物４０に固定した取り付け治具３０の第２の面３２が重畳した姿勢となったときに、第２の面３２側からビス等の固定具３４を打ち込み、第２の面３２と前記外部に露出した水平部２２とを一体に固定する。それにより、建築用装飾材１０は極めて安定した状態で建造物３０側に固定される。最後に、必要な場合には、固定後に、芯材１１に形成した段差部１４、１４内にコーキング材３５を外側から充填する。
【００２１】
上記の説明は、本発明による建造物への建築用装飾材の取り付け構造の一つの実施の形態についての説明であって、本発明はこれに限らない。図２はそのいくつかを示す、図１（ｂ）に相当する図である。図２（ａ）では、一方の取り付け補助材２０ａとして、断面Ｌ字状ではなく、断面鈎型のものを用いている。図２（ｂ）では、双方の取り付け補助材２０ｂとして、断面コ字型のものを用いている。図２（ｃ)では、一方の取り付け補助材２０ｃとして、平板状のものを用いている。このように、取り付け補助材２０の断面形状は任意であり、取り付けようとする建築用装飾材１０の大きさや形状の応じで、適宜選択して用いればよい。また、それに応じて、芯材１１にはその形状に応じた切り込み溝１５が形成される。
【００２２】
図２（ｄ）では、芯材１１に段差部１４が形成されてなく、芯材１１の上下面に平板状の取り付け補助材２０ｄが接着剤を用いて固定されている。この形態では、芯材１１に切り込み溝１５を形成することも要しない。図示のように、建築用装飾材１０が小型であり軽量なものである場合には、この形態でも十分に対処することができる。また、取り付け補助材２０の露出した水平辺２２の部分が、平板状であることも必須でなく、断面で湾曲した形状のものであってもよい。ただし、その場合には、芯材１１の対向する面もその形状の合わせた湾曲面とするとともに、取り付け冶具３０の第２の面３２も同様に湾曲した面とする。
【図面の簡単な説明】
【００２３】
【図１】本発明による建造物への建築用装飾材の取り付け構造の一形態をその施工手順と共に説明する断面図。
【図２】本発明による建造物への建築用装飾材の取り付け構造の他の実施の形態を説明するための図１（ｂ）に相当する図。
【符号の説明】
【００２４】
１０…建築用装飾材、１１…芯材、１２…被膜、１３…芯材の背面、１４…段差部、１５…切り込み溝、２０…取り付け補助材、２１…取り付け補助材の垂直辺、２２…取り付け補助材の水平辺、３０…取り付け治具、３１…取り付け冶具の第１の面、３２…取り付け冶具の第２の面、３３，３４…ビス等の固定具、３５…コーキング材、４０…建造物
【図１】
0005100344.tif 000002
【図２】
0005100344.tif 000003